(57)【特許請求の範囲】
【請求項１】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に応用されるセッション再確立方法において、
初期ＰＤＵ（Ｐａｃｋｅｔ  Ｄａｔａ  Ｕｎｉｔ）セッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳ（Ｎｏｎ−Ａｃｃｅｓｓ  Ｓｔｒａｔｕｍ）メッセージを、前記端末から取得するステップと、
前記第１ＩＤ情報と第２ＩＤ情報が付帯され、前記第１ＩＤ情報と前記第２ＩＤ情報に基づいて前記新規ＰＤＵセッションをＳＭＦ（Ｓｅｓｓｉｏｎ  Ｍａｎａｇｅｍｅｎｔ  Ｆｕｎｃｔｉｏｎ）に確立させるためのセッション管理要求を、前記第１ＩＤ情報に対応するＳＭＦに送信するステップとを含むことを特徴とするセッション再確立方法。
【請求項２】
前記セッション管理要求を前記第１ＩＤ情報に対応するＳＭＦに送信するステップは、
前記ＮＡＳメッセージを解析して前記第１ＩＤ情報を得るステップと、
予め保存されたＰＤＵセッションＩＤ情報とＳＭＦ  ＩＤ情報との対応関係に基づいて、前記第１ＩＤ情報に対応するＳＭＦ  ＩＤ情報を取得するステップと、
前記セッション管理要求を、前記ＳＭＦ  ＩＤ情報に対応するＳＭＦに送信するステップとを含む請求項１に記載のセッション再確立方法。
【請求項３】
前記ＮＡＳメッセージは、ＰＤＵセッション確立要求であり、
前記ＰＤＵセッション確立要求のＰＤＵセッションＩＤ情報には、前記第１ＩＤ情報が付帯され、
前記ＰＤＵセッション確立要求のＮ１セッション管理メッセージには、前記第２ＩＤ情報が付帯され、
前記ＮＡＳメッセージを解析して前記第１ＩＤ情報を得るステップは、
前記ＰＤＵセッション確立要求のＰＤＵセッションＩＤ情報の解析処理をして前記第１ＩＤ情報を得るステップを含む請求項２に記載のセッション再確立方法。
【請求項４】
前記ＮＡＳメッセージは、ＰＤＵセッション再確立要求であり、
前記ＰＤＵセッション再確立要求のＰＤＵセッションＩＤ情報には、前記第１ＩＤ情報と前記第２ＩＤ情報が付帯され、
前記ＮＡＳメッセージを解析して前記第１ＩＤ情報を得るステップは、
前記ＰＤＵセッション再確立要求のＰＤＵセッションＩＤ情報の解析処理をして前記第１ＩＤ情報と前記第２ＩＤ情報を得るステップを含む請求項２に記載のセッション再確立方法。
【請求項５】
ＳＭＦから送信された第２ＩＤ情報およびＳＭＦのＩＤ情報を取得し、対応関係に基づいて保存するステップをさらに含む請求項１に記載のセッション再確立方法。
【請求項６】
ＡＭＦに応用されるセッション再確立装置において、
初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する第１取得モジュールと、
前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する第１送信モジュールとを含むことを特徴とするセッション再確立装置。
【請求項７】
前記第１送信モジュールは、
前記ＮＡＳメッセージを解析して前記第１ＩＤ情報を得る解析サブモジュールと、
予め保存されたＰＤＵセッションＩＤ情報とＳＭＦ  ＩＤ情報との対応関係に基づいて、前記第１ＩＤ情報に対応するＳＭＦ  ＩＤ情報を取得する取得サブモジュールと、
前記セッション管理要求を、前記ＳＭＦ  ＩＤ情報に対応するＳＭＦに送信する送信サブモジュールとを含む請求項６に記載のセッション再確立装置。
【請求項８】
前記ＮＡＳメッセージは、ＰＤＵセッション確立要求であり、
前記ＰＤＵセッション確立要求のＰＤＵセッションＩＤ情報には、前記第１ＩＤ情報が付帯され、
前記ＰＤＵセッション確立要求のＮ１セッション管理メッセージには、前記第２ＩＤ情報が付帯され、
前記解析サブモジュールは、
前記ＰＤＵセッション確立要求のＰＤＵセッションＩＤ情報の解析処理をして前記第１ＩＤ情報を得、
または、
前記ＮＡＳメッセージは、ＰＤＵセッション再確立要求であり、
前記ＰＤＵセッション再確立要求のＰＤＵセッションＩＤ情報には、前記第１ＩＤ情報と前記第２ＩＤ情報が付帯され、
前記解析サブモジュールは、
前記ＰＤＵセッション再確立要求のＰＤＵセッションＩＤ情報の解析処理をして前記第１ＩＤ情報と前記第２ＩＤ情報を得る請求項７に記載のセッション再確立装置。
【請求項９】
初期ＰＤＵセッションの第１ＩＤ情報に対応するＳＭＦに応用されるセッション再確立方法において、
ＰＤＵセッションを再確立する通知メッセージを端末に送信するステップと、
端末から前記通知メッセージに基づいて送信されたＮＡＳメッセージがＡＭＦによって受信されてから送信され、かつ前記ＮＡＳメッセージと同じく初期ＰＤＵセッションの第１ＩＤ情報、および、前記初期ＰＤＵセッションと同一のデータネットワークに接続される新規ＰＤＵセッションの第２ＩＤ情報が付帯されたセッション管理要求を、ＡＭＦから取得するステップと、
前記第１ＩＤ情報と前記第２ＩＤ情報に基づいて前記新規ＰＤＵセッションを確立するステップとを含むことを特徴とするセッション再確立方法。
【請求項１０】
前記第１ＩＤ情報と前記第２ＩＤ情報に基づいて前記新規ＰＤＵセッションを確立するステップは、
前記第１ＩＤ情報と前記第２ＩＤ情報に基づいて、前記新規ＰＤＵセッションに対し新規のＵＰＦ（Ｕｓｅｒ  Ｐｌａｎｅ  Ｆｕｎｃｔｉｏｎ）を選択するステップと、
前記新規のＵＰＦとＮ４インタフェースの接続を確立し、前記新規のＵＰＦに対しエアインタフェースおよびＮ３ユーザプレーンの接続を確立するステップとを含む請求項９に記載のセッション再確立方法。
【請求項１１】
前記第１ＩＤ情報と前記第２ＩＤ情報に基づいて前記新規ＰＤＵセッションを確立するステップの後に、
前記第２ＩＤ情報とＳＭＦのＩＤ情報との対応関係を確立し、前記第２ＩＤ情報とＳＭＦのＩＤ情報を前記ＡＭＦに送信するステップをさらに含む請求項９に記載のセッション再確立方法。
【請求項１２】
初期ＰＤＵセッションの第１ＩＤ情報に対応するＳＭＦに応用されるセッション再確立装置において、
ＰＤＵセッションを再確立する通知メッセージを端末に送信する第２送信モジュールと、
端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯されたセッション管理要求を、ＡＭＦから取得する第３取得モジュールと、
前記第１ＩＤ情報と前記第２ＩＤ情報に基づいて前記新規ＰＤＵセッションを確立する確立モジュールとを含むことを特徴とするセッション再確立装置。
【請求項１３】
端末に応用されるセッション再確立方法において、
ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信するステップを含み、
前記ＮＡＳメッセージには、初期ＰＤＵセッションの第１ＩＤ情報および前記新規ＰＤＵセッションの第２ＩＤ情報が付帯され、
前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信し、
前記セッション管理要求によって、前記ＳＭＦは、前記第１ＩＤ情報および前記第２ＩＤ情報に基づいて前記新規ＰＤＵセッションを確立することを特徴とするセッション再確立方法。
【請求項１４】
前記ＮＡＳメッセージをＡＭＦに送信するステップは、
ＰＤＵセッション確立要求のＰＤＵセッションＩＤ情報に前記第１ＩＤ情報を追加し、前記ＰＤＵセッション確立要求のＮ１セッション管理メッセージに前記第２ＩＤ情報を追加して前記ＡＭＦに送信するステップを含む請求項１３に記載のセッション再確立方法。
【請求項１５】
端末に応用されるセッション再確立装置において、
ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する第４送信モジュールを含み、
前記ＮＡＳメッセージには、初期ＰＤＵセッションの第１ＩＤ情報および前記新規ＰＤＵセッションの第２ＩＤ情報が付帯され、
前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信し、
前記セッション管理要求によって、前記ＳＭＦは、前記第１ＩＤ情報および前記第２ＩＤ情報に基づいて前記新規ＰＤＵセッションを確立することを特徴とするセッション再確立装置。
【発明の詳細な説明】
【技術分野】
【０００１】
本願は、２０１７年３月１７日に中国特許庁に提出された中国特許出願２０１７１０１５９７５１．１の優先権を主張し、その全ての内容が援用によりここに取り込まれる。
本開示は、通信応用の技術分野に係り、特にセッション再確立方法および装置、ＡＭＦ、ＳＭＦならびに端末に係る。
【背景技術】
【０００２】
次世代システムにおけるＰＤＵ（ｐａｃｋｅｔ  ｄａｔａ  ｕｎｉｔ）セッション（ｓｅｓｓｉｏｎ）は、多種類の連続性のニーズをサポートするように求められる。これに対し、現在のＴＲ（Ｔｅｃｈｎｉｃａｌ  Ｒｅｐｏｒｔ）において、３種類のＳＳＣ（ｓｅｒｖｉｃｅ  ａｎｄ  ｓｅｓｓｉｏｎ  ｃｏｎｔｉｎｕｉｔｙ）モードが定義されている。
【０００３】
ＳＳＣモード１とは、当該ＰＤＵセッションに１つのＵＰＦ（Ｕｓｅｒ  Ｐｌａｎｅ  Ｆｕｎｃｔｉｏｎ）を割り当てることである。当該ＵＰＦは、ＰＤＵセッション全体の存続期間中に一定に保持される。
【０００４】
ＳＳＣモード２とは、当該ＰＤＵセッションに割り当てたＵＰＦが一定のサービスエリアのみで保持されることである。ＵＥ（Ｕｓｅｒ  Ｅｑｕｉｐｍｅｎｔ）は、当該ＵＰＦのサービスエリアから移行すると、新規のＵＰＦを選択する必要がある。
【０００５】
ＳＳＣモード３とは、１つのＵＰＦが選択されており、１つのデータネットワークに接続されるＰＤＵセッションが確立されていることである。ＵＥは、当該ＵＰＦの接続を中止する前に、同一のデータネットワークに接続される新規のＰＤＵセッションを確立し、当該新規のＰＤＵセッションに対し新規のＵＰＦを選択する。ＵＥは、データストリームを新規のＰＤＵセッションに移行させてから、古いＰＤＵセッションの接続を削除する。
【０００６】
ＳＳＣモード３のＰＤＵセッションの場合、現在のＰＤＵセッションの経路が最適な経路ではなく、または現在のＰＤＵセッションがまもなく保持できなくなると、同一のデータネットワークに接続される１本のＰＤＵセッションの新規確立を、ネットワークからＵＥに通知する。新規に確立されるＰＤＵセッションは、古いＰＤＵセッションと同一のＳＭＦ（Ｓｅｓｓｉｏｎ  Ｍａｎａｇｅｍｅｎｔ  Ｆｕｎｃｔｉｏｎ）を選択する。現在、ＰＤＵセッションに対しＳＭＦを選択することは、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）によって行われる。ＡＭＦによって、同一のデータネットワークに接続される２本のＳＳＣモード３のＰＤＵセッションに対し同じＡＭＦを選択することは、現在のメカニズムで保証できない。
【発明の概要】
【発明が解決しようとする課題】
【０００７】
本開示は、ＡＭＦによって、同一のデータネットワークに接続される２本のＰＤＵセッションに対し同じＳＭＦを選択することが現在のメカニズムで保証されないという問題を解決するために、セッション再確立方法および装置、ＡＭＦ、ＳＭＦならびに端末を提供する。
【課題を解決するための手段】
【０００８】
上記の目的を実現するために、本開示の実施例は、ＡＭＦに応用されるセッション再確立方法を提供する。当該方法において、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得するステップと、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信するステップとを含む。
【０００９】
選択可能に、前記のセッション管理要求を前記第１ＩＤ情報に対応するＳＭＦに送信するステップは、前記ＮＡＳメッセージを解析して前記第１ＩＤ情報を得るステップと、予め保存されたＰＤＵセッションＩＤ情報とＳＭＦ  ＩＤ情報との対応関係に基づいて、前記第１ＩＤ情報に対応するＳＭＦ  ＩＤ情報を取得するステップと、前記セッション管理要求を、前記ＳＭＦ  ＩＤ情報に対応するＳＭＦに送信するステップとを含む。
【００１０】
選択可能に、前記ＮＡＳメッセージは、ＰＤＵセッション確立要求であり、前記ＰＤＵセッション確立要求のＰＤＵセッションＩＤ情報には、前記第１ＩＤ情報が付帯され、前記ＰＤＵセッション確立要求のＮ１セッション管理メッセージには、前記第２ＩＤ情報が付帯され、前記ＮＡＳメッセージを解析して前記第１ＩＤ情報を得るステップは、前記ＰＤＵセッション確立要求のＰＤＵセッションＩＤ情報の解析処理をして前記第１ＩＤ情報を得るステップを含む。
【００１１】
前記ＮＡＳメッセージは、ＰＤＵセッション再確立要求であり、前記ＰＤＵセッション再確立要求のＰＤＵセッションＩＤ情報には、前記第１ＩＤ情報と前記第２ＩＤ情報が付帯され、前記ＮＡＳメッセージを解析して前記第１ＩＤ情報を得るステップは、前記ＰＤＵセッション再確立要求のＰＤＵセッションＩＤ情報の解析処理をして前記第１ＩＤ情報と前記第２ＩＤ情報を得るステップを含む。
【００１２】
選択可能に、前記セッション再確立方法は、ＳＭＦから送信された第２ＩＤ情報およびＳＭＦのＩＤ情報を取得し、対応関係に基づいて保存するステップをさらに含む。
【００１３】
上記の目的を実現するために、本開示の実施例は、ＡＭＦに応用されるセッション再確立装置を提供する。当該装置は、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する第１取得モジュールと、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する第１送信モジュールとを含む。
【００１４】
選択可能に、前記第１送信モジュールは、前記ＮＡＳメッセージを解析して前記第１ＩＤ情報を得る解析サブモジュールと、予め保存されたＰＤＵセッションＩＤ情報とＳＭＦ  ＩＤ情報との対応関係に基づいて、前記第１ＩＤ情報に対応するＳＭＦ  ＩＤ情報を取得する取得サブモジュールと、前記セッション管理要求を、前記ＳＭＦ  ＩＤ情報に対応するＳＭＦに送信する送信サブモジュールとを含む。
【００１５】
選択可能に、前記ＮＡＳメッセージは、ＰＤＵセッション確立要求であり、前記ＰＤＵセッション確立要求のＰＤＵセッションＩＤ情報には、前記第１ＩＤ情報が付帯され、前記ＰＤＵセッション確立要求のＮ１セッション管理メッセージには、前記第２ＩＤ情報が付帯され、前記解析サブモジュールは、前記ＰＤＵセッション確立要求のＰＤＵセッションＩＤ情報の解析処理をして前記第１ＩＤ情報を得る。
【００１６】
選択可能に、前記ＮＡＳメッセージは、ＰＤＵセッション再確立要求であり、前記ＰＤＵセッション再確立要求のＰＤＵセッションＩＤ情報には、前記第１ＩＤ情報と前記第２ＩＤ情報が付帯され、前記解析サブモジュールは、前記ＰＤＵセッション再確立要求のＰＤＵセッションＩＤ情報の解析処理をして前記第１ＩＤ情報と前記第２ＩＤ情報を得る。
【００１７】
選択可能に、前記セッション再確立装置は、ＳＭＦから送信された第２ＩＤ情報およびＳＭＦのＩＤ情報を取得し、対応関係に基づいて保存する第２取得モジュールをさらに含む。
【００１８】
上記の目的を実現するために、本開示の実施例は、第１メモリ、第１プロセッサおよび第１メモリに記憶されて第１プロセッサで実行可能なコンピュータプログラムを含むＡＭＦを提供し、前記第１プロセッサが前記コンピュータプログラムを実行すると、上記のセッション再確立方法のステップが実現される。
【００１９】
上記の目的を実現するために、本開示の実施例は、初期ＰＤＵセッションの第１ＩＤ情報に対応するＳＭＦに応用されるセッション再確立方法を提供する。当該方法は、ＰＤＵセッションを再確立する通知メッセージを端末に送信するステップと、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯されたセッション管理要求を、ＡＭＦから取得するステップと、前記第１ＩＤ情報と前記第２ＩＤ情報に基づいて前記新規ＰＤＵセッションを確立するステップとを含む。
【００２０】
選択可能に、前記第１ＩＤ情報と前記第２ＩＤ情報に基づいて前記新規ＰＤＵセッションを確立するステップは、前記第１ＩＤ情報と前記第２ＩＤ情報に基づいて、前記新規ＰＤＵセッションに対し新規のＵＰＦを選択するステップと、前記新規のＵＰＦとＮ４インタフェースの接続を確立し、前記新規のＵＰＦに対しエアインタフェースおよびＮ３ユーザプレーンの接続を確立するステップとを含む。
【００２１】
選択可能に、前記第１ＩＤ情報と前記第２ＩＤ情報に基づいて前記新規ＰＤＵセッションを確立するステップの後に、前記第２ＩＤ情報とＳＭＦのＩＤ情報との対応関係を確立し、前記第２ＩＤ情報とＳＭＦのＩＤ情報を前記ＡＭＦに送信するステップをさらに含む。
【００２２】
上記の目的を実現するために、本開示の実施例は、初期ＰＤＵセッションの第１ＩＤ情報に対応するＳＭＦに応用されるセッション再確立装置を提供する。当該装置は、ＰＤＵセッションを再確立する通知メッセージを端末に送信する第２送信モジュールと、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯されたセッション管理要求を、ＡＭＦから取得する第３取得モジュールと、前記第１ＩＤ情報と前記第２ＩＤ情報に基づいて前記新規ＰＤＵセッションを確立する確立モジュールとを含む。
【００２３】
選択可能に、前記確立モジュールは、前記第１ＩＤ情報と前記第２ＩＤ情報に基づいて、前記新規ＰＤＵセッションに対し新規のＵＰＦを選択する選択サブモジュールと、前記新規のＵＰＦとＮ４インタフェースの接続を確立し、前記新規のＵＰＦに対しエアインタフェースおよびＮ３ユーザプレーンの接続を確立する確立サブモジュールとを含む。
【００２４】
選択可能に、前記セッション再確立装置は、前記第２ＩＤ情報とＳＭＦのＩＤ情報との対応関係を確立し、前記第２ＩＤ情報とＳＭＦのＩＤ情報を前記ＡＭＦに送信する第３送信モジュールをさらに含む。
【００２５】
上記の目的を実現するために、本開示の実施例は、第２メモリ、第２プロセッサおよび第２メモリに記憶されて第２プロセッサで実行可能なコンピュータプログラムを含むＳＭＦを提供し、前記第２プロセッサが前記コンピュータプログラムを実行すると、上記のセッション再確立方法でＳＭＦによって実行されるステップが実現される。
【００２６】
上記の目的を実現するために、本開示の実施例は、端末に応用されるセッション再確立方法を提供する。当該方法において、ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信するステップを含み、前記ＮＡＳメッセージには、初期ＰＤＵセッションの第１ＩＤ情報および前記新規ＰＤＵセッションの第２ＩＤ情報が付帯され、前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信し、前記セッション管理要求によって、前記ＳＭＦは、前記第１ＩＤ情報および前記第２ＩＤ情報に基づいて前記新規ＰＤＵセッションを確立する。
【００２７】
選択可能に、前記のＮＡＳメッセージをＡＭＦに送信するステップは、ＰＤＵセッション確立要求のＰＤＵセッションＩＤ情報に前記第１ＩＤ情報を追加し、前記ＰＤＵセッション確立要求のＮ１セッション管理メッセージに前記第２ＩＤ情報を追加して前記ＡＭＦに送信するステップを含む。
【００２８】
上記の目的を実現するために、本開示の実施例は、端末に応用されるセッション再確立装置を提供する。当該装置は、ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する第４送信モジュールを含み、前記ＮＡＳメッセージには、初期ＰＤＵセッションの第１ＩＤ情報および前記新規ＰＤＵセッションの第２ＩＤ情報が付帯され、前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信し、前記セッション管理要求によって、前記ＳＭＦは、前記第１ＩＤ情報および前記第２ＩＤ情報に基づいて前記新規ＰＤＵセッションを確立する。
【００２９】
選択可能に、前記第４送信モジュールは、ＰＤＵセッション確立要求のＰＤＵセッションＩＤ情報に前記第１ＩＤ情報を追加し、前記ＰＤＵセッション確立要求のＮ１セッション管理メッセージに前記第２ＩＤ情報を追加して前記ＡＭＦに送信する。
【００３０】
上記の目的を実現するために、本開示の実施例は、第３メモリ、第３プロセッサおよび第３メモリに記憶されて第３プロセッサで実行可能なコンピュータプログラムを含む端末を提供し、前記第３プロセッサが前記コンピュータプログラムを実行すると、上記のセッション再確立方法で端末によって実行されるステップが実現される。
【００３１】
上記の目的を実現するために、本開示の実施例は、コンピュータプログラムが記憶されているコンピュータ読み取り可能な記憶媒体を提供し、前記コンピュータプログラムがプロセッサによって実行されると、上記のセッション再確立方法でＡＭＦによって実行されるステップが実現される。
【００３２】
上記の目的を実現するために、本開示の実施例は、コンピュータプログラムが記憶されているコンピュータ読み取り可能な記憶媒体を提供し、前記コンピュータプログラムがプロセッサによって実行されると、上記のセッション再確立方法でＳＭＦによって実行されるステップが実現される。
【００３３】
上記の目的を実現するために、本開示の実施例は、コンピュータプログラムが記憶されているコンピュータ読み取り可能な記憶媒体を提供し、前記コンピュータプログラムがプロセッサによって実行されると、上記のセッション再確立方法で端末によって実行されるステップが実現される。
発明の効果
【００３４】
本開示の実施例の上記技術手段において、ＳＭＦは、ＰＤＵセッションを再確立する通知メッセージを端末に送信する。端末は、通知メッセージに基づいて、初期ＰＤＵセッションの第１ＩＤ情報および端末から新規ＰＤＵセッションに割り当てた第２ＩＤ情報が付帯されたＮＡＳメッセージをＡＭＦに送信する。ＡＭＦは、第１ＩＤ情報と第２ＩＤ情報が付帯されたセッション管理要求を、第１ＩＤ情報に対応するＳＭＦに送信する。ＳＭＦは、第１ＩＤ情報と第２ＩＤ情報に基づいて新規ＰＤＵセッションを確立する。本開示の実施例において、上記ＮＡＳメッセージとセッション管理要求に第１ＩＤ情報と第２ＩＤ情報を付帯することによって、初期ＰＤＵセッションに選択されたＳＭＦに新規ＰＤＵセッションを接続する目的を実現している。
【図面の簡単な説明】
【００３５】
【図１】図１は、本開示の一部実施例におけるセッション再確立方法のフローチャートである。
【図２】図２は、本開示の別の一部実施例におけるセッション再確立方法のフローチャートである。
【図３】図３は、本開示の別の一部実施例におけるセッション再確立方法のフローチャートである。
【図４】図４は、本開示の一部実施例におけるセッション再確立方法で端末、ＡＭＦ、ＳＭＦおよびＵＰＦのやり取りのフローチャートである。
【図５】図５は、本開示の別の一部実施例におけるセッション再確立方法で端末、ＡＭＦ、ＳＭＦおよびＵＰＦのやり取りのフローチャートである。
【図６】図６は、本開示の一部実施例におけるセッション再確立装置の構造ブロック図である。
【図７】図７は、本開示の一部実施例におけるＡＭＦの構造ブロック図である。
【図８】図８は、本開示の別の一部実施例におけるセッション再確立装置の構造ブロック図である。
【図９】図９は、本開示の一部実施例におけるＳＭＦの構造ブロック図である。
【図１０】図１０は、本開示の別の一部実施例におけるセッション再確立装置の構造ブロック図である。
【図１１】図１１は、本開示の一部実施例における端末の構造ブロック図である。
【発明を実施するための形態】
【００３６】
本開示の解決しようとする技術課題、技術手段及び利点をより明確にするために、以下、具体的な実施例および添付図面を通じて詳細に記載する。
【００３７】
本開示の実施例は、セッション再確立方法および装置、ＡＭＦ、ＳＭＦならびに端末を提供し、ＡＭＦによって、同一のデータネットワークに接続される２本のＰＤＵセッションに対し同じＳＭＦを選択することが現在のメカニズムで保証されないという問題を解決する。
【００３８】
図１に示すように、本開示の一部実施例のセッション再確立方法は、ＡＭＦに応用され、ステップ１０１と１０２を含む。
【００３９】
ステップ１０１において、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、端末から取得する。
【００４０】
前記ＮＡＳメッセージは、ＳＭＦから送信されＰＤＵセッションを再確立する通知メッセージが端末によって受信されてから送信される。端末は、上記通知メッセージに基づいて新規ＰＤＵセッションを確立し、新規ＰＤＵセッションに新規のセッションＩＤ情報、すなわち上記第２ＩＤ情報を割り当てる。この場合、端末から送信され、新規ＰＤＵセッションの確立を要求するＮＡＳメッセージは、通常のトリガーにおけるＮＡＳメッセージとは異なる。本開示の実施例において、端末から送信されるＮＡＳメッセージには、初期ＰＤＵセッションの第１ＩＤ情報および前記端末から前記新規ＰＤＵセッションに割り当てた第２ＩＤ情報が付帯される。よって、ＡＭＦは、初期ＰＤＵセッションの第１ＩＤ情報に基づいて古いＳＭＦ、すなわち第１ＩＤ情報に対応するＳＭＦを選択することができる。
【００４１】
ステップ１０２において、前記第１ＩＤ情報と第２ＩＤ情報が付帯され、当該第１ＩＤ情報と当該第２ＩＤ情報に基づいて前記新規ＰＤＵセッションをＳＭＦに確立させるためのセッション管理要求を、前記第１ＩＤ情報に対応するＳＭＦに送信する。
【００４２】
現在、５Ｇシステムにおいて、ＳＭＦの選択は、ＡＭＦによって行われる。ＵＥは、異なるＰＤＵ  ｓｅｓｓｉｏｎに対しＰＤＵ  ｓｅｓｓｉｏｎ  ＩＤを割り当てる。ＵＥからＡＭＦに送信されるＮＡＳメッセージは、Ｓ−ＮＳＳＡＩ（Ｓｉｎｇｌｅ−ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ）、ＰＤＵセッションＩＤ（ＰＤＵ  Ｓｅｓｓｉｏｎ  ＩＤ）、Ｎ１インタフェースからＳＭＦに伝達されるメッセージであって、ＳＭＦに伝達されるセッション管理メッセージであるＮ１  ＳＭ  ｉｎｆｏｒｍａｔｉｏｎを含み、具体的なフォーマットは、ＮＡＳ  Ｍｅｓｓａｇｅ（Ｓ−ＮＳＳＡＩ，ＤＮＮ，ＰＤＵ  Ｓｅｓｓｉｏｎ  ＩＤ，Ｎ１  ＳＭ  ｉｎｆｏｒｍａｔｉｏｎ）である。
【００４３】
現在、定義されているＰＤＵセッション確立要求（ＰＤＵ  ｓｅｓｓｉｏｎ  ｅｓｔａｂｌｉｓｈ  ｒｅｑｕｅｓｔ）メッセージには、上記の情報が含まれる。ＡＭＦは、Ｓ−ＮＳＳＡＩ、ＤＮＮ、ＰＤＵ  Ｓｅｓｓｉｏｎ  ＩＤしか解析せず、Ｎ１  ＳＭ  ｉｎｆｏｒｍａｔｉｏｎを解析しない。Ｓ−ＮＳＳＡＩ、ＤＮＮ、ＰＤＵ  Ｓｅｓｓｉｏｎ  ＩＤは、ＡＭＦによるＳＭＦの選択の実行に用いられる。ＡＭＦは、ＮＡＳメッセージを受信すると、ＰＤＵ  ｓｅｓｓｉｏｎ  ＩＤに基づいて、ルーティングされるＳＭＦ情報を選択し、当該ＰＤＵ  ｓｅｓｓｉｏｎが確立されているのであれば、ＰＤＵ  Ｓｅｓｓｉｏｎ  ＩＤとＳＭＦ  ＩＤとの関連関係を保留する。後に、ＡＭＦは、当該ＰＤＵ  ｓｅｓｓｉｏｎ  ＩＤに関するセッション管理ＮＡＳメッセージ（ＳＭ  ＮＡＳメッセージ）を受信すると、直接当該ＳＭ  ＮＡＳメッセージをＳＭＦに伝達して処理する。引き起こされたＮＡＳメッセージがＰＤＵ  ｓｅｓｓｉｏｎの新規確立要求であれば、ＮＡＳメッセージの中のＰＤＵ  ｓｅｓｓｉｏｎ  ＩＤに関連するＳＭＦ  ＩＤが存在しない。ＳＭＦは、Ｓ−ＮＳＳＡＩ、ＤＮＮなどの情報に基づいて、当該ＰＤＵ  ｓｅｓｓｉｏｎに対し新規のＳＭＦ  ＩＤを選択し、ＰＤＵ  ｓｅｓｓｉｏｎ  ＩＤとＳＭＦ  ＩＤとの関連関係を保存する。
【００４４】
本開示の実施例において、端末は、新規ＰＤＵセッションの確立を要求するＮＡＳメッセージをＡＭＦに送信する場合、初期ＰＤＵセッションの第１ＩＤ情報および前記端末から前記新規ＰＤＵセッションに割り当てた第２ＩＤ情報を付帯する。ＡＭＦは、当該ＮＡＳメッセージに基づいて、第１ＩＤ情報に対応するＳＭＦを選択する。よって、新規ＰＤＵセッションと初期ＰＤＵセッションは、同じＳＭＦに接続される。
【００４５】
さらに、上記ステップ１０２は、具体的にステップ１０２１〜１０２３を含む。
【００４６】
ステップ１０２１において、前記ＮＡＳメッセージを解析して前記第１ＩＤ情報を得る。
【００４７】
ここで、ＮＡＳメッセージは、具体的にＰＤＵセッション確立要求であり、前記ＰＤＵセッション確立要求のＰＤＵセッションＩＤ情報には、前記第１ＩＤ情報が付帯され、前記ＰＤＵセッション確立要求のＮ１セッション管理メッセージには、前記第２ＩＤ情報が付帯される。ＡＭＦは、前記ＰＤＵセッション確立要求のＰＤＵセッションＩＤ情報の解析処理をして前記第１ＩＤ情報を得る。
【００４８】
または、前記ＮＡＳメッセージは、ＰＤＵセッション再確立要求であり、前記ＰＤＵセッション再確立要求のＰＤＵセッションＩＤ情報には、前記第１ＩＤ情報と前記第２ＩＤ情報が付帯される。ＡＭＦは、前記ＰＤＵセッション再確立要求のＰＤＵセッションＩＤ情報の解析処理をして前記第１ＩＤ情報と前記第２ＩＤ情報を得る。
【００４９】
本開示の実施例において、ＰＤＵセッション確立要求のＰＤＵセッションＩＤ情報に第１ＩＤ情報を付帯し、ＰＤＵセッション確立要求のＮ１セッション管理メッセージに前記第２ＩＤ情報を付帯してもよく、新たに定義したＰＤＵセッション再確立要求のＰＤＵセッションＩＤ情報に同時に第１ＩＤ情報と第２ＩＤ情報を付帯してもよい。よって、ＡＭＦは、ＰＤＵセッション確立要求またはＰＤＵセッション再確立要求のＡＭＦのＮＡＳメッセージを解析して第１ＩＤ情報を得、新規ＰＤＵセッションに対し、初期ＰＤＵセッションに接続されたＳＭＦを選択することができる。
【００５０】
ステップ１０２２において、予め保存されたＰＤＵセッションＩＤ情報とＳＭＦ  ＩＤ情報との対応関係に基づいて、前記第１ＩＤ情報に対応するＳＭＦ  ＩＤ情報を取得する。
【００５１】
上記記載によれば、ＡＭＦにはＰＤＵ  ｓｅｓｓｉｏｎ  ＩＤとＳＭＦ  ＩＤとの関連関係が保留される。ＡＭＦは、後にセッション管理要求を対応するＳＭＦに送信して新規ＰＤＵセッションをＳＭＦに確立させるよう、当該関連関係に基づいて、初期ＰＤＵセッションに対応するＳＭＦ  ＩＤ情報を選択することができる。
【００５２】
ステップ１０２３において、前記セッション管理要求を、前記ＳＭＦ  ＩＤ情報に対応するＳＭＦに送信する。
【００５３】
ここで、セッション管理要求を、ＳＭＦ  ＩＤ情報に対応するＳＭＦに送信することによって、端末に通知メッセージを送信するＳＭＦと、新規ＰＤＵセッションを確立するＳＭＦとは同一ＳＭＦであることが保証される。ＳＭＦ  ＩＤ情報に対応するＳＭＦは、第１ＩＤ情報と第２ＩＤ情報に基づいて新規ＰＤＵセッションを確立する。
【００５４】
さらに、本開示の実施例のセッション再確立方法は、ＳＭＦから送信された第２ＩＤ情報およびＳＭＦのＩＤ情報を取得し、対応関係に基づいて保存するステップをさらに含む。
【００５５】
ここで、ＳＭＦは、第１ＩＤ情報と第２ＩＤ情報に基づいて新規ＰＤＵセッションを確立すると、後にＡＭＦから第２ＩＤ情報に関するセッション管理情報を第２ＩＤ情報とＳＭＦのＩＤ情報に基づいて当該ＳＭＦに送信するよう、第２ＩＤ情報とＳＭＦのＩＤ情報をＡＭＦに送信する。
【００５６】
本開示の実施例のセッション再確立方法において、ＡＭＦは、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、端末から取得する。ＡＭＦは、前記第１ＩＤ情報と第２ＩＤ情報が付帯され、当該第１ＩＤ情報と当該第２ＩＤ情報に基づいて前記新規ＰＤＵセッションをＳＭＦに確立させるためのセッション管理要求を、前記第１ＩＤ情報に対応するＳＭＦに送信する。よって、新規ＰＤＵセッションと初期ＰＤＵセッションを同じＳＭＦに接続する目的を達成し、セッションの連続性を効果的に保障する。
【００５７】
図２に示すように、本開示の別の一部実施例は、ＳＭＦに応用されるセッション再確立方法を提供し、ステップ２０１〜２０３を含む。
【００５８】
ステップ２０１において、ＰＤＵセッションを再確立する通知メッセージを端末に送信する。
【００５９】
ＳＭＦは、再確立サービスが必要なＵＰＦを決定し、通知メッセージをＵＥに送信し、初期ＰＤＵ  ｓｅｓｓｉｏｎを一定時間内に削除することをＵＥに通知し、同じデータネットワークに接続される新規ＰＤＵ  ｓｅｓｓｉｏｎの確立をＵＥに要求する。通知メッセージは、初期ＰＤＵ  ｓｅｓｓｉｏｎのＩＤ情報と、初期ＰＤＵセッションの保留がネットワークに望まれるタイマー値を含む。
【００６０】
ステップ２０２において、ＡＭＦから送信されたセッション管理要求を取得する。前記セッション管理要求は、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯される。前記ＳＭＦは、前記第１ＩＤ情報に対応するＳＭＦである。
【００６１】
ＡＭＦは、端末から送信され、第１ＩＤ情報と第２ＩＤ情報が付帯されたＮＡＳメッセージを受信すると、ＮＡＳメッセージを解析して第１ＩＤ情報を得るとともに、新規ＰＤＵセッションと初期ＰＤＵセッションを同じＳＭＦに接続するよう、第１ＩＤ情報に対応するＳＭＦにセッション管理要求を送信する。
【００６２】
ステップ２０３において、前記第１ＩＤ情報と前記第２ＩＤ情報に基づいて前記新規ＰＤＵセッションを確立する。
【００６３】
当該ステップ２０３は、具体的に、ステップ２０３１と２０３２を含む。
【００６４】
ステップ２０３１において、前記第１ＩＤ情報と前記第２ＩＤ情報に基づいて、前記新規ＰＤＵセッションに対し新規のＵＰＦを選択する。
【００６５】
当該新規のＵＰＦは、初期ＰＤＵセッションに対応するＵＰＦとは異なる。セッション管理要求に第１ＩＤ情報と第２ＩＤ情報が付帯されるため、ＳＭＦは、新規ＰＤＵセッションに対しＵＰＦを選択する際に、第１ＩＤ情報に対応するＵＰＦとは異なる新規のＵＰＦを選択し、２つのセッションに対し同一ＵＰＦを選択することを効果的に避ける。
【００６６】
ステップ２０３２において、前記新規のＵＰＦとＮ４インタフェースの接続を確立し、前記新規のＵＰＦに対しエアインタフェースおよびＮ３ユーザプレーンの接続を確立する。
【００６７】
ここで、新規ＰＤＵ  ｓｅｓｓｉｏｎの確立に成功して一定期間が経ってから、ネットワークは、初期ＰＤＵ  ｓｅｓｓｉｏｎの削除を引き起こす。初期ＰＤＵ  ｓｅｓｓｉｏｎは、ＵＥによって削除されてもよく、タイムアウトになってからＳＭＦによって削除されてもよい。
【００６８】
さらに、前記第１ＩＤ情報と前記第２ＩＤ情報に基づいて前記新規ＰＤＵセッションを確立するステップの後に、前記第２ＩＤ情報とＳＭＦのＩＤ情報との対応関係を確立し、前記第２ＩＤ情報とＳＭＦのＩＤ情報を前記ＡＭＦに送信するステップをさらに含む。
【００６９】
ここで、ＳＭＦは、第１ＩＤ情報と第２ＩＤ情報に基づいて新規ＰＤＵセッションを確立すると、後にＡＭＦから第２ＩＤ情報に関するセッション管理情報を第２ＩＤ情報とＳＭＦのＩＤ情報に基づいて当該ＳＭＦに送信するよう、第２ＩＤ情報とＳＭＦのＩＤ情報をＡＭＦに送信する。
【００７０】
本開示の実施例のセッション再確立方法において、ＳＭＦは、ＰＤＵセッションを再確立する通知メッセージを端末に送信し、セッション管理要求をＡＭＦから取得し、セッション管理要求の第１ＩＤ情報と第２ＩＤ情報に基づいて前記新規ＰＤＵセッションを確立することによって、新規ＰＤＵセッションと初期ＰＤＵセッションを同じＳＭＦに接続する目的を達成し、セッションの連続性を効果的に保障する。
【００７１】
図３に示すように、本開示の別の一部実施例は、端末に応用されるセッション再確立方法を提供する。下記のステップ３０１を含む。
【００７２】
ステップ３０１において、ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する。前記ＮＡＳメッセージには、初期ＰＤＵセッションの第１ＩＤ情報および前記新規ＰＤＵセッションの第２ＩＤ情報が付帯される。前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信する。前記セッション管理要求によって、前記ＳＭＦは、前記第１ＩＤ情報および前記第２ＩＤ情報に基づいて前記新規ＰＤＵセッションを確立する。
【００７３】
端末は、上記通知メッセージに基づいて新規ＰＤＵセッションを確立し、新規ＰＤＵセッションに新規のセッションＩＤ情報、すなわち上記第２ＩＤ情報を割り当てる。この場合、端末から送信され、新規ＰＤＵセッションの確立を要求するＮＡＳメッセージは、通常のトリガーにおけるＮＡＳメッセージとは異なる。本開示の実施例において、端末から送信されるＮＡＳメッセージには、初期ＰＤＵセッションの第１ＩＤ情報および前記端末から前記新規ＰＤＵセッションに割り当てた第２ＩＤ情報が付帯される。よって、ＡＭＦは、初期ＰＤＵセッションの第１ＩＤ情報に基づいて古いＳＭＦ、すなわち第１ＩＤ情報に対応するＳＭＦを選択することができる。
【００７４】
さらに、前記のＮＡＳメッセージをＡＭＦに送信するステップは、ＰＤＵセッション確立要求のＰＤＵセッションＩＤ情報に前記第１ＩＤ情報を追加し、前記ＰＤＵセッション確立要求のＮ１セッション管理メッセージに前記第２ＩＤ情報を追加して前記ＡＭＦに送信するステップを含む。
【００７５】
本開示の実施例のセッション再確立方法において、端末は、ＳＭＦから送信され、ＰＤＵセッションを再確立する通知メッセージに基づいて、ＮＡＳメッセージをＡＭＦに送信する。ＡＭＦは、端末から送信されたＮＡＳメッセージに基づいて、初期ＰＤＵセッションの第１ＩＤ情報および新規ＰＤＵセッションの第２ＩＤ情報が付帯されたセッション管理要求をＳＭＦに送信する。ＳＭＦは、第１ＩＤ情報および第２ＩＤ情報に基づいて新規ＰＤＵセッションを確立する。本開示の実施例において、上記ＮＡＳメッセージとセッション管理要求に第１ＩＤ情報と第２ＩＤ情報を付帯することによって、初期ＰＤＵセッションに選択されたＳＭＦに新規ＰＤＵセッションを接続する目的を実現し、セッションの連続性を効果的に保障する。
【００７６】
本開示の実施例において端末から送信されるＮＡＳは、ＰＤＵセッション確立要求であるとする。以下、図４を参照して本開示の一部実施例のセッション再確立の実現フローを説明する。
【００７７】
図４に示すように、当該実現フローは、ステップ４０１〜４０６を含む。
【００７８】
ステップ４０１において、端末は、ＰＤＵセッション確立要求をＡＭＦに送信する。当該ＰＤＵセッション確立要求には、初期ＰＤＵセッションの第１ＩＤ情報および端末から前記新規ＰＤＵセッションに割り当てた第２ＩＤ情報が付帯される。
【００７９】
当該ＰＤＵセッション確立要求は、ＳＭＦから送信されＰＤＵセッションを再確立する通知メッセージが端末によって受信されてからＡＭＦに送信される。当該ＰＤＵセッション確立要求のフォーマットは、具体的に、（ＰＤＵ  ｓｅｓｓｉｏｎ  ＩＤ１，Ｎ１  ＳＭ  ｉｎｆｏｒｍａｔｉｏｎ  （ＰＤＵ  ｓｅｓｓｉｏｎ  ＩＤ２））である。ここで、ＰＤＵ  ｓｅｓｓｉｏｎ  ＩＤ１は、初期ＰＤＵセッションの第１ＩＤ情報であり、ＰＤＵ  ｓｅｓｓｉｏｎ  ＩＤ２は、新規ＰＤＵセッションの第２ＩＤ情報である。第２ＩＤ情報は、ＳＭ  ｉｎｆｏｒｍａｔｉｏｎに含まれてＳＭＦにトランスペアレント伝送される。ＰＤＵセッション確立要求は、Ｓ−ＮＳＳＡＩ、ＤＮなどの情報をさらに含んでもよい。
【００８０】
ステップ４０２において、ＡＭＦは、ＰＤＵセッション確立要求の第１ＩＤ情報に基づいてＳＭＦを選択し、選択したＳＭＦにセッション管理要求を送信する。当該セッション管理要求には、上記第１ＩＤ情報と第２ＩＤ情報が付帯される。
【００８１】
具体的に、前記ＰＤＵセッション確立要求のＰＤＵセッションＩＤ情報の解析処理をして前記第１ＩＤ情報を得、予め保存されたＰＤＵセッションＩＤ情報とＳＭＦ  ＩＤ情報との対応関係に基づいて、前記第１ＩＤ情報に対応するＳＭＦ  ＩＤ情報を取得し、前記セッション管理要求を、前記ＳＭＦ  ＩＤ情報に対応するＳＭＦに送信する。
【００８２】
ここで、上記ＳＭＦから送信されるセッション管理要求のフォーマットは、具体的に、（ＰＤＵ  ｓｅｓｓｉｏｎ  ＩＤ１，Ｎ１  ＳＭ  ｉｎｆｏｒｍａｔｉｏｎ  （ＰＤＵ  ｓｅｓｓｉｏｎ  ＩＤ２））である。
【００８３】
ステップ４０３において、ＳＭＦは、第１ＩＤ情報と第２ＩＤ情報に基づいて新規のＵＰＦを選択し、Ｎ４インタフェースの確立プロセスを引き起こす。
【００８４】
ステップ４０４において、ＵＰＦは、Ｎ４インタフェースの確立応答をＳＭＦに返信する。
【００８５】
ステップ４０５において、ＳＭＦは、新規ＰＤＵセッションに対しエアインタフェースおよびＮ３ユーザプレーンの接続プロセスを確立する
【００８６】
ステップ４０６において、新規ＰＤＵセッションが確立されると、ＳＭＦは、第２ＩＤ情報とＳＭＦ  ＩＤ情報をＡＭＦに送信する。
【００８７】
ＡＭＦには、第２ＩＤ情報とＳＭＦ  ＩＤ情報の関連関係が保存される。後に、ＡＭＦは、第２ＩＤ情報に関するセッション管理関連メッセージを受信すると、ＮＡＳメッセージをＳＭＦにルーティングする。
【００８８】
本開示の実施例のセッション再確立方法において、ＵＥは、ネットワークにトリガーされて新規のＳＳＣ  ｍｏｄｅ  ３のＰＤＵ  ｓｅｓｓｉｏｎを確立する場合、ＰＤＵセッション確立要求メッセージを再利用する。当該メッセージには、ＡＭＦに解析されるＰＤＵ  ｓｅｓｓｉｏｎ  ＩＤに初期ＰＤＵセッションの第１ＩＤ情報が付帯される。Ｎ１  ＳＭ  ｉｎｆｏｒｍａｔｉｏｎ  ｃｏｎｔａｉｎｅｒには、ＵＥから新規ＰＤＵセッションに割り当てた第２ＩＤ情報が付帯される。ＡＭＦは、第１ＩＤ情報と第２ＩＤ情報が付帯されたセッション管理要求を、第１ＩＤ情報に対応するＳＭＦに送信する。ＳＭＦは、第１ＩＤ情報と第２ＩＤ情報に基づいて、新規ＰＤＵセッションを確立する。よって、初期ＰＤＵセッションに選択されたＳＭＦに新規ＰＤＵセッションを接続する目的を実現し、セッションの連続性を効果的に保障する。
【００８９】
本開示の実施例において端末から送信されるＮＡＳは、新たに定義したＰＤＵセッション再確立要求であるとする。当該ＰＤＵセッション再確立要求には、初期ＰＤＵセッションの第１ＩＤ情報および端末から前記新規ＰＤＵセッションに割り当てた第２ＩＤ情報が付帯される。以下、図５を参照して本開示の別の一部実施例のセッション再確立の実現フローを説明する。
【００９０】
図５に示すように、当該実現フローは、ステップ５０１〜５０６を含む。
【００９１】
ステップ５０１において、端末は、ＰＤＵセッション再確立要求をＡＭＦに送信する。当該ＰＤＵセッション再確立要求には、初期ＰＤＵセッションの第１ＩＤ情報および端末から前記新規ＰＤＵセッションに割り当てた第２ＩＤ情報が付帯される。
【００９２】
当該ＰＤＵセッション再確立要求は、ＳＭＦから送信されＰＤＵセッションを再確立する通知メッセージが端末によって受信されてからＡＭＦに送信される。当該ＰＤＵセッション再確立要求のフォーマットは、具体的に、（ＰＤＵ  ｓｅｓｓｉｏｎ  ＩＤ１，  ＰＤＵ  ｓｅｓｓｉｏｎ  ＩＤ２）である。ここで、ＰＤＵ  ｓｅｓｓｉｏｎ  ＩＤ１は、初期ＰＤＵセッションの第１ＩＤ情報であり、ＰＤＵ  ｓｅｓｓｉｏｎ  ＩＤ２は、新規ＰＤＵセッションの第２ＩＤ情報である。当該第１ＩＤ情報と第２ＩＤ情報は、前記ＰＤＵセッション再確立要求のＰＤＵセッションＩＤ情報に付帯される。
【００９３】
ステップ５０２において、ＡＭＦは、ＰＤＵセッション再確立要求の第１ＩＤ情報に基づいてＳＭＦを選択し、選択したＳＭＦにセッション管理要求を送信する。当該セッション管理要求には、上記第１ＩＤ情報と第２ＩＤ情報が付帯される。
【００９４】
ここで、上記ＳＭＦから送信されるセッション管理要求のフォーマットは、具体的に、（ＰＤＵ  ｓｅｓｓｉｏｎ  ＩＤ１，ＰＤＵ  ｓｅｓｓｉｏｎ  ＩＤ２）である。
【００９５】
ステップ５０３において、ＳＭＦは、第１ＩＤ情報と第２ＩＤ情報に基づいて新規のＵＰＦを選択し、Ｎ４インタフェースの確立プロセスを引き起こす。
【００９６】
ステップ５０４において、ＵＰＦは、Ｎ４インタフェースの確立応答をＳＭＦに返信する。
【００９７】
ステップ５０５において、ＳＭＦは、新規ＰＤＵセッションに対しエアインタフェースおよびＮ３ユーザプレーンの接続プロセスを確立する
【００９８】
ステップ５０６において、新規ＰＤＵセッションが確立されると、ＳＭＦは、第２ＩＤ情報とＳＭＦ  ＩＤ情報をＡＭＦに送信する。
【００９９】
ＡＭＦには、第２ＩＤ情報とＳＭＦ  ＩＤ情報の関連関係が保存される。後に、ＡＭＦは、第２ＩＤ情報に関するセッション管理関連メッセージを受信すると、ＮＡＳメッセージをＳＭＦにルーティングする。
【０１００】
本開示の実施例のセッション再確立方法において、新規ＰＤＵ  ｓｅｓｓｉｏｎの確立要求を引き起こす新規のＮＡＳメッセージを定義する。新規のＮＡＳメッセージは、具体的に、初期ＰＤＵセッションの第１ＩＤ情報および新規ＰＤＵセッションに割り当てた第２ＩＤ情報が付帯されたＰＤＵセッション再確立要求である。ＡＭＦは、第１ＩＤ情報と第２ＩＤ情報が付帯されたセッション管理要求を、第１ＩＤ情報に対応するＳＭＦに送信する。ＳＭＦは、第１ＩＤ情報と第２ＩＤ情報に基づいて、新規ＰＤＵセッションを確立する。よって、初期ＰＤＵセッションに選択されたＳＭＦに新規ＰＤＵセッションを接続する目的を実現し、セッションの連続性を効果的に保障する。
【０１０１】
図６に示すように、本開示の一部実施例は、ＡＭＦに応用されるセッション再確立装置を提供する。当該装置は、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する第１取得モジュール６０１と、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する第１送信モジュール６０２とを含む。
【０１０２】
本開示の実施例のセッション再確立装置において、前記第１送信モジュール６０２は、前記ＮＡＳメッセージを解析して前記第１ＩＤ情報を得る解析サブモジュール６０２１と、予め保存されたＰＤＵセッションＩＤ情報とＳＭＦ  ＩＤ情報との対応関係に基づいて、前記第１ＩＤ情報に対応するＳＭＦ  ＩＤ情報を取得する取得サブモジュール６０２２と、前記セッション管理要求を、前記ＳＭＦ  ＩＤ情報に対応するＳＭＦに送信する送信サブモジュール６０２３とを含む。
【０１０３】
本開示の実施例のセッション再確立装置において、前記ＮＡＳメッセージは、ＰＤＵセッション確立要求であり、前記ＰＤＵセッション確立要求のＰＤＵセッションＩＤ情報には、前記第１ＩＤ情報が付帯され、前記ＰＤＵセッション確立要求のＮ１セッション管理メッセージには、前記第２ＩＤ情報が付帯される。前記解析サブモジュール６０２１は、前記ＰＤＵセッション確立要求のＰＤＵセッションＩＤ情報の解析処理をして前記第１ＩＤ情報を得る。
【０１０４】
本開示の実施例のセッション再確立方法において、前記ＮＡＳメッセージは、ＰＤＵセッション再確立要求であり、前記ＰＤＵセッション再確立要求のＰＤＵセッションＩＤ情報には、前記第１ＩＤ情報と前記第２ＩＤ情報が付帯される。前記解析サブモジュール６０２１は、前記ＰＤＵセッション再確立要求のＰＤＵセッションＩＤ情報の解析処理をして前記第１ＩＤ情報と前記第２ＩＤ情報を得る。
【０１０５】
本開示の実施例のセッション再確立装置は、ＳＭＦから送信された第２ＩＤ情報およびＳＭＦのＩＤ情報を取得し、対応関係に基づいて保存する第２取得モジュール６０３をさらに含む。
【０１０６】
なお、当該セッション再確立装置は、実施例１の方法に対応する装置である。上記実施例１におけるすべての実現形態は、いずれも当該装置の実施例に適用し、同じ技術効果を奏することもできる。
【０１０７】
本開示の実施例のセッション再確立装置は、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを前記端末から取得し、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信することによって、新規ＰＤＵセッションと初期ＰＤＵセッションを同じＳＭＦに接続する目的を達成し、セッションの連続性を効果的に保障する。
【０１０８】
さらに、本開示の一部実施例は、図７に示すように、第１メモリ７０１、第１プロセッサ７０２および第１メモリ７０１に記憶されて第１プロセッサ７０２で実行可能なコンピュータプログラムを含むＡＭＦを提供し、前記第１プロセッサが前記コンピュータプログラムを実行すると、実施例１に記載のセッション再確立方法のステップが実現される。
【０１０９】
第１プロセッサ７０２は、第１メモリに記憶されているコンピュータプログラムを呼び出して実行すると、以下の機能的モジュールを実現する。
第１取得モジュールは、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する。
第１送信モジュールは、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する。
【０１１０】
第１プロセッサ７０２は、第１メモリからプログラムを読み取って、以下のプロセスを実行する。
初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する。
前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する。
【０１１１】
また、本開示の実施例は、コンピュータプログラムが記憶されているコンピュータ読み取り可能な記憶媒体を提供する。前記コンピュータプログラムは、以下のステップをコンピュータに実行させる。
初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得する。
前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信する。
【０１１２】
本開示の実施例のＡＭＦは、初期ＰＤＵセッションと同一のデータネットワークに接続される新規ＰＤＵセッションの確立を要求し、初期ＰＤＵセッションの第１ＩＤ情報および端末から前記新規ＰＤＵセッションに割り当てた第２ＩＤ情報が付帯されたＮＡＳメッセージを、前記端末から取得し、前記第１ＩＤ情報と第２ＩＤ情報が付帯され、前記第１ＩＤ情報と前記第２ＩＤ情報に基づいて前記新規ＰＤＵセッションをＳＭＦに確立させるためのセッション管理要求を、前記第１ＩＤ情報に対応するＳＭＦに送信することによって、新規ＰＤＵセッションと初期ＰＤＵセッションを同じＳＭＦに接続する目的を達成し、セッションの連続性を効果的に保障する。
【０１１３】
図８に示すように、本開示の別の一部実施例は、ＳＭＦに応用されるセッション再確立装置を提供する。当該装置は、ＰＤＵセッションを再確立する通知メッセージを端末に送信する第２送信モジュール８０１と、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯されたセッション管理要求を、ＡＭＦから取得する第３取得モジュール８０２と、前記第１ＩＤ情報と前記第２ＩＤ情報に基づいて前記新規ＰＤＵセッションを確立する確立モジュール８０３とを含む。
【０１１４】
本開示の実施例のセッション再確立装置において、前記確立モジュール８０３は、前記第１ＩＤ情報と前記第２ＩＤ情報に基づいて、前記新規ＰＤＵセッションに対し新規のＵＰＦを選択する選択サブモジュール８０３１と、前記新規のＵＰＦとＮ４インタフェースの接続を確立し、前記新規のＵＰＦに対しエアインタフェースおよびＮ３ユーザプレーンの接続を確立する確立サブモジュール８０３２とを含む。
【０１１５】
本開示の実施例のセッション再確立装置は、前記第２ＩＤ情報とＳＭＦのＩＤ情報との対応関係を確立し、前記第２ＩＤ情報とＳＭＦのＩＤ情報を前記ＡＭＦに送信する第３送信モジュール８０４をさらに含む。
【０１１６】
なお、当該セッション再確立装置は、図２に対応する実施例の方法に対応する装置である。上記図２に対応する実施例におけるすべての実現形態は、いずれも当該装置の実施例に適用し、同じ技術効果を奏することもできる。
【０１１７】
本開示の実施例のセッション再確立装置は、ＰＤＵセッションを再確立する通知メッセージを端末に送信し、セッション管理要求をＡＭＦから取得し、セッション管理要求の第１ＩＤ情報と第２ＩＤ情報に基づいて前記新規ＰＤＵセッションを確立することによって、新規ＰＤＵセッションと初期ＰＤＵセッションを同じＳＭＦに接続する目的を達成し、セッションの連続性を効果的に保障する。
【０１１８】
さらに、図９に示すように、本開示の一部実施例は、第２メモリ９０１、第２プロセッサ９０２および第２メモリ９０１に記憶されて第２プロセッサ９０２で実行可能なコンピュータプログラムを含むＳＭＦを提供し、前記第２プロセッサ９０２が前記コンピュータプログラムを実行すると、図２に対応する実施例に記載のセッション再確立方法のステップが実現される。
【０１１９】
第２プロセッサ９０２は、第２メモリに記憶されているコンピュータプログラムを呼び出して実行すると、以下の機能的モジュールを実現する。
第２送信モジュールは、ＰＤＵセッションを再確立する通知メッセージを端末に送信する。
第３取得モジュールは、ＡＭＦから送信されたセッション管理要求を取得する。前記セッション管理要求は、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯される。前記ＳＭＦは、前記第１ＩＤ情報に対応するＳＭＦである。
確立モジュールは、前記第１ＩＤ情報と前記第２ＩＤ情報に基づいて前記新規ＰＤＵセッションを確立する。
【０１２０】
第２プロセッサ９０２は、第２メモリからプログラムを読み取って、以下のプロセスを実行する。
ＰＤＵセッションを再確立する通知メッセージを端末に送信する。
ＡＭＦから送信されたセッション管理要求を取得する。前記セッション管理要求は、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯される。前記ＳＭＦは、前記第１ＩＤ情報に対応するＳＭＦである。
前記第１ＩＤ情報と前記第２ＩＤ情報に基づいて前記新規ＰＤＵセッションを確立する。
【０１２１】
また、本開示の実施例は、コンピュータプログラムが記憶されているコンピュータ読み取り可能な記憶媒体を提供する。前記コンピュータプログラムは、以下のステップをコンピュータに実行させる。
ＰＤＵセッションを再確立する通知メッセージを端末に送信する。
ＡＭＦから送信されたセッション管理要求を取得する。前記セッション管理要求は、端末から前記通知メッセージに基づいて送信されたＮＡＳメッセージがＡＭＦによって受信されてから送信され、かつ前記ＮＡＳメッセージとは同じく初期ＰＤＵセッションの第１ＩＤ情報、および、前記初期ＰＤＵセッションと同一のデータネットワークに接続される新規ＰＤＵセッションの第２ＩＤ情報が付帯される。前記ＳＭＦは、前記第１ＩＤ情報に対応するＳＭＦである。
前記第１ＩＤ情報と前記第２ＩＤ情報に基づいて前記新規ＰＤＵセッションを確立する。
【０１２２】
本開示の実施例のＳＭＦは、ＰＤＵセッションを再確立する通知メッセージを端末に送信し、セッション管理要求をＡＭＦから取得し、セッション管理要求の第１ＩＤ情報と第２ＩＤ情報に基づいて前記新規ＰＤＵセッションを確立することによって、新規ＰＤＵセッションと初期ＰＤＵセッションを同じＳＭＦに接続する目的を達成し、セッションの連続性を効果的に保障する。
【０１２３】
図１０に示すように、本開示の別の一部実施例は、端末に応用されるセッション再確立装置を提供する。当該装置は、ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する第４送信モジュール１００１を含む。前記ＮＡＳメッセージには、初期ＰＤＵセッションの第１ＩＤ情報および前記新規ＰＤＵセッションの第２ＩＤ情報が付帯される。前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信する。前記セッション管理要求によって、前記ＳＭＦは、前記第１ＩＤ情報および前記第２ＩＤ情報に基づいて前記新規ＰＤＵセッションを確立する。
【０１２４】
本開示の実施例のセッション再確立装置において、前記第４送信モジュールは、ＰＤＵセッション確立要求のＰＤＵセッションＩＤ情報に前記第１ＩＤ情報を追加し、前記ＰＤＵセッション確立要求のＮ１セッション管理メッセージに前記第２ＩＤ情報を追加して前記ＡＭＦに送信する。
【０１２５】
なお、当該端末は、図３に対応する実施例の方法に対応する装置である。上記図３に対応する実施例におけるすべての実現形態は、いずれも当該端末の実施例に適用し、同じ技術効果を奏することもできる。
【０１２６】
本開示の実施例の端末は、ＳＭＦから送信され、ＰＤＵセッションを再確立する通知メッセージに基づいて、ＮＡＳメッセージをＡＭＦに送信する。ＡＭＦは、端末から送信されたＮＡＳメッセージに基づいて、初期ＰＤＵセッションの第１ＩＤ情報および新規ＰＤＵセッションの第２ＩＤ情報が付帯されたセッション管理要求をＳＭＦに送信する。ＳＭＦは、第１ＩＤ情報および第２ＩＤ情報に基づいて新規ＰＤＵセッションを確立する。本開示の実施例において、上記ＮＡＳメッセージとセッション管理要求に第１ＩＤ情報と第２ＩＤ情報を付帯することによって、初期ＰＤＵセッションに選択されたＳＭＦに新規ＰＤＵセッションを接続する目的を実現し、セッションの連続性を効果的に保障する。
【０１２７】
上記の目的をさらに実現するために、図１１に示すように、本開示の一部実施例は、第３プロセッサ１１００、バスインタフェースを介して前記第３プロセッサ１１００に接続された第３メモリ１１２０、第３メモリ１１２０に記憶されて第３プロセッサ１１００で実行可能なコンピュータプログラム、およびバスインタフェースを介して前記第３プロセッサ１１００に接続され、第３プロセッサ１１００による制御でデータを送受信するたトランシーバ１１１０を含む端末を提供する。前記第３メモリは、前記第３プロセッサによる操作実行に用いられるプログラムおよびデータを記憶する。前記トランシーバ１１１０でダウンリンク制御チャネルを受信する。第３プロセッサ１１００は、第３メモリ１１２０に記憶されているプログラムおよびデータを呼び出して実行すると、以下の機能的モジュールを実現する。
第４送信モジュールは、ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する。前記ＮＡＳメッセージには、初期ＰＤＵセッションの第１ＩＤ情報および前記新規ＰＤＵセッションの第２ＩＤ情報が付帯される。前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信する。前記セッション管理要求によって、前記ＳＭＦは、前記第１ＩＤ情報および前記第２ＩＤ情報に基づいて前記新規ＰＤＵセッションを確立する。
【０１２８】
第３プロセッサ１１００は、第３メモリ１１２０からプログラムを読み取って、以下のプロセスを実行する。
ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをトランシーバ１１１０でＡＭＦに送信する。前記ＮＡＳメッセージには、初期ＰＤＵセッションの第１ＩＤ情報および前記新規ＰＤＵセッションの第２ＩＤ情報が付帯される。前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信する。前記セッション管理要求によって、前記ＳＭＦは、前記第１ＩＤ情報および前記第２ＩＤ情報に基づいて前記新規ＰＤＵセッションを確立する。
【０１２９】
ここで、図１１において、バスアーキテクチャは、任意数の相互接続するバスとブリッジを含み、具体的に、第３プロセッサ１１００をはじめとする１つ又は複数のプロセッサと第３メモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。ユーザ端末によっては、ユーザインタフェース１１３０は、内部接続や外部接続する機器のインタフェースであってもよい。接続する機器は、キーパッド、ディスプレイ、スピーカ、マイクロフォン、ジョイスティックなどを含むが、それらに限られない。
【０１３０】
第３プロセッサ１１００は、バスアーキテクチャと通常の処理を管理する。第３メモリ１１２０は、第３プロセッサ１１００による作業時に使用されるデータを記憶できる。
【０１３１】
また、本開示の実施例は、コンピュータプログラムが記憶されているコンピュータ読み取り可能な記憶媒体を提供する。前記コンピュータプログラムは、以下のステップをコンピュータに実行させる。
ＳＭＦから送信され、ＰＤＵセッションを再確立する通知メッセージに基づいて、初期ＰＤＵセッションと同一のデータネットワークに接続される新規ＰＤＵセッションの確立を要求するＮＡＳメッセージをＡＭＦに送信する。前記ＮＡＳメッセージには、初期ＰＤＵセッションの第１ＩＤ情報および前記新規ＰＤＵセッションの第２ＩＤ情報が付帯される。前記ＮＡＳメッセージによって、前記ＡＭＦは、前記第１ＩＤ情報および第２ＩＤ情報が付帯されたセッション管理要求を、前記第１ＩＤ情報に対応するＳＭＦに送信する。前記セッション管理要求によって、前記ＳＭＦは、前記第１ＩＤ情報および前記第２ＩＤ情報に基づいて前記新規ＰＤＵセッションを確立する。
【０１３２】
本開示の実施例の端末において、第３プロセッサ１１００は、ＳＭＦから送信され、ＰＤＵセッションを再確立する通知メッセージに基づいて、ＮＡＳメッセージをＡＭＦに送信する。ＡＭＦは、端末から送信されたＮＡＳメッセージに基づいて、初期ＰＤＵセッションの第１ＩＤ情報および新規ＰＤＵセッションの第２ＩＤ情報が付帯されたセッション管理要求をＳＭＦに送信する。ＳＭＦは、第１ＩＤ情報および第２ＩＤ情報に基づいて新規ＰＤＵセッションを確立する。本開示の実施例において、上記ＮＡＳメッセージとセッション管理要求に第１ＩＤ情報と第２ＩＤ情報を付帯することによって、初期ＰＤＵセッションに選択されたＳＭＦに新規ＰＤＵセッションを接続する目的を実現し、セッションの連続性を効果的に保障する。
【０１３３】
以上は、本開示の好適な実施例に過ぎず、本開示を限定するためのものではない。本開示の精神や原則内に為したあらゆる修正、均等の差し替え、改良などは、いずれも本開示の保護範囲内に含まれるべきである。
【図１】
0006952787.tif 000002
【図２】
0006952787.tif 000003
【図３】
0006952787.tif 000004
【図４】
0006952787.tif 000005
【図５】
0006952787.tif 000006
【図６】
0006952787.tif 000007
【図７】
0006952787.tif 000008
【図８】
0006952787.tif 000009
【図９】
0006952787.tif 000010
【図１０】
0006952787.tif 000011
【図１１】
0006952787.tif 000012